(57)【要約】      （修正有）【課題】ローレットが形成された可動フードを有するリールシートにおいて、他の釣竿の外表面を傷つけにくくする可動フードを提供する。【解決手段】リール脚の一端を受け入れ可能な固定フードとを有するリールシート本体と、前記竿体の軸方向に沿ってスライド可能に構成され、前記リール脚の他端を受け入れ可能な可動フードと、を備えるリールシートににおいて、当該可動フードは、第１の大径部４１と、第２の大径部４２と、前記第１の大径部４１及び前記第２の大径部４２よりも小さな外径を有する小径部４４と、を含む。この小径部４４の外表面には、ローレット４５が設けられる。当該小径部４４は、前記第１の大径部４１と前記第２の大径部４２との間に設けられる。【選択図】図４
2017118839.tif 000002
【特許請求の範囲】
【請求項１】
リール脚が載置されるシート部と当該リール脚の一端を受け入れ可能な固定フードとを有するリールシート本体と、
前記竿体の軸方向に沿ってスライド可能に構成され、前記リール脚の他端を受け入れ可能な可動フードと、
を備えるリールシートであって、
前記可動フードは、第１の大径部と、第２の大径部と、前記第１の大径部及び前記第２の大径部よりも小さな外径を有する小径部と、を含み、
前記小径部の外表面には、ローレットが設けられ、
前記小径部は、前記第１の大径部と前記第２の大径部との間に設けられる、リールシート。
【請求項２】
前記第１の大径部の外表面及び前記第２の大径部の外表面は平滑である、請求項１に記載のリールシート。
【請求項３】
前記第２の大径部は、前記第１の大径部よりも前記固定フードから遠位に設けられており、
前記第２の大径部は、その外径が前記第１の大径部の外径よりも小さくなるように形成される、請求項１または請求項２に記載のリールシート。
【請求項４】
前記第２の大径部は、前記固定フードから離れる方向に向かって小径となるテーパー部を有する、請求項１から請求項３のいずれか１項に記載のリールシート。
【請求項５】
請求項１から請求項４のいずれか１項に記載のリールシートを備える釣竿。
【発明の詳細な説明】
【技術分野】
【０００１】
本発明は、魚釣用リールを釣竿に固定するためのリールシートに関し、特に可動フードを有するリールシートに関する。
【背景技術】
【０００２】
魚釣用リールは、釣竿の竿体にリールシートを介して取り付けられる。この種のリールシートは、竿体に外装される筒状のリールシート本体と、当該リールシート本体に固定された固定フードと、当該竿体の軸方向に沿って当該固定フードに接近する方向及び離間する方向にスライド可能に構成された筒状の可動フードとを備える。可動フードは、前記竿体の軸周りに回動することにより当該竿体の軸方向にスライドするように構成される。
【０００３】
リールシート本体には、リール脚を受け止める平坦なシート部が設けられる。固定フードは、シート部に載置されたリール脚の一端を受け入れ可能に構成される。可動フードは、リール脚の他端を受け入れ可能に構成される。リール脚をシート部に載置し、その一端を固定フードに収容せしめた上で可動フードを固定フードに接近する方向にスライド移動させることにより、固定フードと可動フードとの間にリール脚の両端を挟み込むことができる。このようにして、リールシートを用いて魚釣用リールを竿体に固定することができる。
【０００４】
可動フードの外周面には、回動操作時の滑り止めのためにローレットが形成されることが多い。可動フードの外周面にローレットが形成されているリールシートは公知であり、例えば、特開平１１−２３５１４０号公報、特開２００１−６１３８１号公報、及び特開２００７−１１７０４６号公報に開示されている。
【先行技術文献】
【特許文献】
【０００５】
【特許文献１】特開平１１−２３５１４０号公報
【特許文献２】特開２００１−６１３８１号公報
【特許文献３】特開２００７−１１７０４６号公報
【発明の概要】
【発明が解決しようとする課題】
【０００６】
可動フードの外周面に形成されるローレットは滑り止めのために必要なものであるが、釣竿の運搬時に他の釣竿を傷つけてしまうという課題がある。特に、釣種によっては、釣り人が複数の釣竿を手に握って釣り場へ移動することがある。このような場合、一つの釣竿に装着されているリールシートのローレットが他の釣竿の外表面に接触して、当該他の釣竿の外表面に傷を作ってしまうおそれがある。
【０００７】
よって、本発明は、ローレットが形成された可動フードを有するリールシートにおいて、他の釣竿の外表面を傷つけにくくするための改善を提供することを目的の一つとする。本発明のこれ以外の目的は、本明細書全体を参照することにより明らかとなる。
【課題を解決するための手段】
【０００８】
本発明の一実施形態は、リール脚が載置されるシート部と当該リール脚の一端を受け入れ可能な固定フードとを有するリールシート本体と、前記竿体の軸方向に沿ってスライド可能に構成され、前記リール脚の他端を受け入れ可能な可動フードと、を備えるリールシートに関する。本発明の一実施形態において、前記可動フードは、第１の大径部と、第２の大径部と、前記第１の大径部及び前記第２の大径部よりも小さな外径を有する小径部と、を含む。この小径部の外表面には、ローレットが設けられる。当該小径部は、前記第１の大径部と前記第２の大径部との間に設けられる。
【０００９】
当該実施形態に係るリールシートによれば、ローレットが形成された小径部が、第１の大径部の外径及び第２の大径部の外径のいずれよりも小さな外径を有するように形成され、また、この第１の大径部と第２の大径部との間に設けられているので、当該リールシートが取り付けられた竿体を他の竿体と一緒に運搬するときでも、当該第１の大径部及び当該第２の大径部により当該他の竿体と前記ローレットとの接触を阻止して、当該他の竿体の外周面に傷がつくことを防止できる。
【００１０】
本発明の一実施形態において、前記第１の大径部の外表面及び前記第２の大径部の外表面は平滑に形成される。これにより、前記第１の大径部の外表面及び前記第２の大径部が他の竿体に接触しても、当該他の竿体の表面に傷がつくことを防止できる。
【００１１】
本発明の一実施形態において、前記第２の大径部は、前記第１の大径部よりも前記固定フードから遠位に設けられる。また、前記第２の大径部は、その外径が前記第１の大径部の外径よりも小さくなるように形成される。これにより、可動フードの前方の部分（第２の大径部が設けられる部分）を可動フードの後方の部分（第１の大径部が設けられる部分）よりも小径とすることができる。このように可動フードをその前方が後方よりも小径となるように形成することで、釣り人が当該リールシートを握ったときにその釣り人の指先をより安定して支持することができる。
【００１２】
本発明の一実施形態において、前記第２の大径部は、前記固定フードから離れる方向に向かって小径となるテーパー部を有する。これにより、リールシートを握った釣り人の指（通常は人差し指）に第２の大径部を自然と沿わせることができる。
【発明の効果】
【００１３】
本発明の様々な実施形態により、ローレットが形成された可動フードを有するリールシートにおいて、他の釣竿の外表面を傷つけにくくすることができる。
【図面の簡単な説明】
【００１４】
【図１】本発明の一実施形態に係るリールシートが装着された釣竿を示す側面図
【図２】本発明の一実施形態に係るリールシートが装着された釣竿を示す斜視図
【図３】本発明の一実施形態に係るリールシートの可動フードを示す斜視図
【図４】本発明の一実施形態に係るリールシートの可動フードの一部を示す側面図
【図５】本発明の一実施形態に係るリールシートが装着された釣竿を他の釣竿とともに示す概略図
【発明を実施するための形態】
【００１５】
以下、本発明の様々な実施形態を適宜図面を参照して説明する。共通する構成要素には複数の図面をまたがって同一の参照符号が付されている。各図面は、便宜上、必ずしも同一の縮尺により示されているとは限らない点に留意されたい。
【００１６】
図１及び図２には、本発明の一実施形態に係るリールシートが装着された釣竿を示す。釣竿１は、中空又は中実の竿体２を有する。この竿体２にリールシート３が取り付けられている。
【００１７】
リールシート３は、魚釣用リール４を取り外し可能に竿体２に取り付けるものである。図１の実施形態において、魚釣用リール４は、本体６と、本体６に回転可能に支持されたスプール軸５と、ボディ６の下端に設けられたリール脚７とを備える。リール脚７は、竿体２の前後方向に延伸しており、後端部７ａと、前端部７ｂとを有する。魚釣用リール４は図示した構成に限られず、本発明の趣旨を逸脱しない限り、任意の形状及び用途の魚釣用リールが本発明のリールシートに取り付けられ得る。例えば、図１の実施形態では、魚釣用リール４は両軸受型リールであるが、リールシート３には他の種類の魚釣用リール（例えば、スピニングリール）を取り付けることもできる。
【００１８】
図示の実施形態において、リールシート３は、例えば発泡性樹脂材料やコルクで形成された円筒形状のグリップ１０と、当該グリップ１０の前端に接続された円筒形状のリールシート本体１２と、を備える。グリップ１０およびリールシート本体１２を竿体２が貫通している。つまり、グリップ１０及びリールシート本体１２は、竿体２に外装されている。リールシート本体１２は、魚釣用リール４のリール脚７を受け止める平坦なシート部１３と、シート部１３の後端に位置する基部１４と、を備える。また、リールシート本体１２の外周面の前端には雄ねじ部が形成されている。この雄ねじ部は、後述する可動フード２０の内周面に形成される雌ねじ部と螺合するように形成される。
【００１９】
シート部１３は、リールシート本体１２の上面に露出するとともに、竿体２の軸方向に延びている。基部１４は、グリップ１０の前端に滑らかに連続するような円筒状をなしている。基部１４の外周面の上部には固定フード１６が一体に形成されている。固定フード１６には、シート部１３の後端に向けて開口するスリット状の開口１７が形成されている。
【００２０】
リールシート本体１２にトリガー１８が形成されている。トリガー１８は、基部１４の外周面からシート部１３とは反対側に向けて突出しており、グリップ１０の直前に位置している。トリガー１８は、グリップ１０を握った手の中指と薬指とで挟み込むためのものである。このトリガー１８の存在により、グリップ１０に対する手のずれを防止することができ、釣竿１のキャスティング操作を確実に行えるようになっている。
【００２１】
リールシート本体１２の前端部には可動フード２０が設けられる。可動フード２０は、図３に示すように、可動フード本体２１とカバー２２とを備える。可動フード本体２１は、ＡＢＳ樹脂、ポリアミド、ポリスチロール、ポリプロピレン、ポリカーボネート、ポリアセタール等の硬質樹脂材料で形成される。
【００２２】
可動フード本体２１は、円筒形状に形成されており、第１のリング部２３と、この第１のリング部２３の外径よりも小さな外径を有する第２のリング部２４と、を備える。また、第１のリング部２３と第２のリング部２４との間には、第１のリング部２３の外径よりも小さく第２のリング部２４の外径よりも大きな外径を有する第３のリング部２７が設けられる。第１のリング部２３は、シート部１３の前端部を外側から覆うようにリング状に形成される。この第１のリング部２３の内周面とシート部１３の前端部とにより、リール脚７の前端７ｂを受け入れるスリット状の開口２５が画定される。この開口２５は、シート部１３の前端に向けて開口している。
【００２３】
第２のリング部２４は、第１のリング部２３よりも径が小さい中空の円筒形状に形成される。第２のリング部２４は、第１のリング部２３からシート部１３とは反対側に向けて同軸状に突出している。この第２のリング部２４の内周面と第３のリング部２７の内周面には雌ねじ部２６が形成されている。雌ねじ部２６は、リールシート本体１２の前端部に形成された雄ねじ部と螺合するように構成される。
【００２４】
可動フード２０のカバー２２は、アルミニウム、ステンレス、チタン、真鍮等の金属材料により形成されている。カバー２２は、可動フード本体２１の外周面に接着等の手段により固定されている。
【００２５】
図４に最もよく示されているように、カバー２２は、第１のリング部２３を外側から覆う第１の大径部４１と、第２の大径部４２と、第３のリング部２７を外側から覆う第３の大径部４３と、小径部４４と、を備える。可動フード本体２１の第２のリング部２４は、第２の大径部４２と小径部４４とにより外側から覆われる。小径部４４は、第１の大径部４１、第２の大径部４２、及び第３の大径部４３の外径のいずれよりも小さな外径を有する。小径部４４は、第１の大径部４１よりも前方で第２の大径部４２よりも構成に配される。
【００２６】
小径部４４の外表面には、可動フード２０を操作するときに滑り止めの役割を果たすローレット４５が形成されている。図示されているローレット４５はあくまで一例であり、本発明のリールシートには様々な形状のローレットを用いることができる。図示の実施形態においては、竿体２の軸方向の異なった位置で周方向に延びる２本の帯状の領域にローレットが形成されているが、ローレットは小径部４４の任意の領域に設けられ得る。また、図示の実施形態においては、ローレット溝が竿体２の軸方向に対して所定の角度を成して延伸しているが、ローレット溝の延伸方向も任意である。図示のように、小径部４４は、その外径が、ローレット４５の形成位置において最も大きくなるように形成されている。カバー２２は、ローレット４５の形成位置における小径部４４の外径ｄ１が大径部４１の外径Ｄ１及び大径部４２の外径Ｄ２のいずれよりも小さくなるように形成される。
【００２７】
本発明の一実施形態において、第１の大径部４１及び第２の大径部４２は、その外周面に釣竿１の別の竿体（例えば、竿体２に継いで使用される竿体）または釣竿１とは別の釣竿の竿体が接触しても、その接触した竿体が傷つかない程度に平滑に形成される。例えば、第１の大径部４１及び第２の大径部４２の外周面は、小径部４４（特にローレット４５）の外表面よりも摩擦抵抗が小さくなるように形成されている。第１の大径部４１及び第２の大径部４２の外周面の摩擦抵抗を小さくするために、第１の大径部４１及び第２の大径部４２の外周面にはローレットは形成されない。カバー２２全体を平滑に形成してしまうと可動フード２０を回動させづらくなるが、小径部４４（特にローレット４５）は平滑に形成されないので、操作者はこの小径部（特にローレット４５）を摘まむことにより、可動フード２０を容易に回動操作することができる。
【００２８】
第２の大径部４２は、前方（固定フード１６から離れる方向）に向かって小径となるように傾斜したテーパー部４６を有する。釣り人は、最も一般的な握り方に従って魚釣用リール４及びグリップ１０を握るときには、人差し指が前方に延ばされるので、カバー２２の前端にある第２の大径部４２にまで釣り人の人差し指が載置されることがある。第２の大径部４２にテーパー部４６を形成することにより、第２の大径部４２を魚釣用リール４を握った釣り人の指（通常は人差し指）に自然と沿わせることができる。
【００２９】
以上のように形成されたリールシート３を介して竿体２に魚釣用リール４を取り付ける際には、まず、魚釣用リール４のリール脚７をシート部１３の上に載置し、リール脚７の第１の後端部７ａを固定フード１６の第１の開口１７に挿入する。次に、可動フード２０の小径部４４付近を手の指先で掴んで可動フード２０を竿体２の軸周りに締め付け方向に回動させる。これにより、可動フード２０が固定フード１６に向けてスライド移動し、開口２５にリール脚７の前端部７ｂが挿入される。
【００３０】
この状態でさらに可動フード２０を締め付け方向に回動させると、リール脚７の後端部７ａ及び前端部７ｂが固定フード１６と可動フード２０とによって挟み込まれる。また、リール脚７には、固定フード１６と可動フード２０からシート部１３に押し付ける方向の力が作用する。これにより、リール脚７をリールシート３に固定することができる。
【００３１】
魚釣用リール４をリールシート３から取り外す際には、可動フードを手の指先で掴んで緩める方向に回動させる。これにより、可動フード２０が固定フード１６から遠ざかる方向に移動し、可動フード２０がリール脚７の前端部７ｂから離脱する。これにより、魚釣用リール４をリールシート３から取り外すことができる。
【００３２】
上記実施の形態によれば、ローレット４５が形成された小径部４４が、第１の大径部４１及び第２の大径部４２のいずれの外径よりも小さな外径を有するように形成されているので、図５に示すように、竿体２と一緒に他の竿体２’（釣竿１の穂先側の竿体や他の釣竿の竿体）を運搬するときでも、当該他の竿体はローレット４５と接触しないので、当該他の竿体の外周面に傷がつくことを防止できる。
【００３３】
また、上述のように、第１の大径部４１の外表面及び第２の大径部４２の外表面は平滑に形成されるので、第１の大径部４１及び第２の大径部４２が他の竿体２’に接触しても、当該他の竿体２の外表面には傷がつかないようにすることができる。
【００３４】
本発明の実施形態は、上述した実施形態に限定されるものではなく、その要旨を逸脱しない範囲内で様々な変更が可能である。上述した実施形態においては、可動フード２０の可動フード本体２１の内周面に雌ねじ部１６が設けられており、可動フード２０を竿体２の軸周りに回動させることにより可動フード２０を竿体２の軸方向にスライドさせている。つまり、上述した実施形態では、可動フード２０は、リール脚７の前方の端部を受け入れる部分（フード部）と、竿体２の軸周りに回動する部分（ナット部）とが一体に形成されているが、このフード部とナット部とを別体として構成することも可能である。この場合、ナット部（つまり、竿体２の軸周りに回動する部分）の外周面に、滑り止めのためのローレット４５、及び、当該ローレット４５と他の竿体との接触を阻止するための第２の大径部４２が形成される。第１の大径部４１は、ナット部に形成されてもよいしフード部（つまり、リール脚７の前方の端部を受け入れる部分）に形成されてもよい。このようなフード部とナット部とが別体として構成されたリールシートは、例えば、特開２０１４−１２８２２４号公報及び特開２０１３−４６５８４等に開示されているように公知であるため、その詳細な説明は省略する。
【００３５】
また、上述の実施形態においては、可動フード２０をリールシート本体１２の前側に設けているが、可動フードはリールシート本体１２の後側に設けてもよい。
【符号の説明】
【００３６】
１  釣竿
２、２’  竿体
３  リールシート
４  魚釣用リール
１２  リールシート本体
１６  固定フード
２０  可動フード
２１  可動フード本体
２２  カバー
２６  雌ねじ部
４１  第１の大径部
４２  第２の大径部
４４  小径部
４５  ローレット
４６  テーパー部
【図１】
2017118839.tif 000003
【図２】
2017118839.tif 000004
【図３】
2017118839.tif 000005
【図４】
2017118839.tif 000006
【図５】
2017118839.tif 000007